(57)【要約】【課題】  本発明は化学工場の産廃であるトリクロロスチレン、エタン、油泥、高分子系廃棄物（ハイプラスチック）、塗料粕（Ｐｂを含む）その他医療廃棄物又は生活廃棄物等の２次燃焼炉の冷却塔に接続する水・排ガス接触塔において、ダイオキシンを低減する簡便な装置を得ることを目的とする。【解決手段】  排ガス・水接触塔１において、接触塔１の上端部に拡径段１’を介して拡径筒１”を形成し、上記接触塔１の上端縁１ａと拡径筒１”の内周壁及び拡径段１’によって環状廃水溝２を形成し、上記上端縁１ａに複数のＶ形受水杆３を平行に架設し、上記拡径筒１”の内周壁に複数の逆Ｖ形案内杆４を上記受水杆３と平行に架設して、気液分離部５を形成し、該分離部５の上方に金属繊維綿による除霧層６を配置し、該除霧層６の上方にスプレー給水管７を配設してなるダイオキシン・煤塵除去装置。【選択図】  図１
2005125201.tif 000002
【特許請求の範囲】
【請求項１】
廃棄物焼却工場に設けた排ガス・水接触塔において、
上記接触塔の上端部に拡径段を介して拡径筒を形成し、
上記接触塔の上端縁と拡径筒の内周壁及び拡径段によって環状廃水溝を形成し、
上記上端縁に複数のＶ形受水杆を平行に架設し、該受水杆の両端をそれぞれ上記廃水溝上に開口し、
上記拡径筒の内周壁に複数の逆Ｖ形案内杆を上記受水杆と平行に架設し、
かつ上記案内杆の下向両下縁がそれぞれ上記受水杆の上向両上縁の上方に間隙を介して重合して気液分離部を形成し、
該分離部の上方に金属繊維綿による除霧層を配置し、
該除霧層の上方にスプレー給水管を配設してなるダイオキシン・煤塵除去装置。
【発明の詳細な説明】
【技術分野】
【０００１】
化学工場等の産業廃棄物焼却工場における排塵塔内のダイオキシン及び煤塵除去技術に関するものである。
【背景技術】
【０００２】
従来、産廃焼却工場の排塵塔内においては、スプレー水とダイオキシン・飛灰との接触除去法を用いることは知られている。
【０００３】
しかし上記接触除去法のみではダイオキシンを一定成分以下に低減することは困難であったため、廃ガス中の有害物質を移動式ダスト除去層に吸着させ、さらに廃ガス中の有害物質を吸着剤による固定式吸着層を通過させ、さらに第３の吸着剤によって微紛を捕集する廃ガス処理装置が開発された（例えば特許文献１）。
【０００４】
即ち焼却炉排出ガス冷却装置に引続いて、廃ガス除塵装置、廃ガス処理装置（さらに脱硝装置）を経て煙突に浄化ガスを放出した。
【０００５】
そのため煙突の上流に廃ガス浄化システムとして複数の装置を要した。
【０００６】
【特許文献１】特開２００１−１１３１２５号公報
【発明の開示】
【発明が解決しようとする課題】
【０００７】
本発明は化学工場の産廃であるトリクロロスチレン、エタン、油泥、高分子系廃棄物（ハイプラスチック）、塗料粕（Ｐｂを含む）その他医療廃棄物又は生活廃棄物等の焼却工場における２次燃焼炉の冷却塔に接続する廃ガス・水接触塔において、ダイオキシンを飛躍的に低減する簡便な装置を得ることを目的とする。
【課題を解決するための手段】
【０００８】
上記の目的を達成するため本発明は
第１に廃棄物焼却工場に設けた廃ガス・水接触塔において、上記接触塔の上端部に拡径段を介して拡径筒を形成し、上記接触塔の上端縁と拡径筒の内周壁及び拡径段によって環状廃水溝を形成し、上記上端縁に複数のＶ形受水杆を平行に架設し、該受水杆の両端をそれぞれ上記廃水溝上に開口し、上記拡径筒の内周壁に複数の逆Ｖ形案内杆を上記受水杆と平行に架設し、かつ上記案内杆の下向両下縁がそれぞれ上記受水杆の上向両上縁の上方に間隙を介して重合して気液分離部を形成し、該分離部の上方に金属繊維綿による除霧層を配置し、該除霧層の上方にスプレー給水管を配設してなるダイオキシン・煤塵除去装置、
によって構成される。
【０００９】
従って上記除霧層の上方のスプレー給水管から浄水が散水され、浄水は除霧層を通過下降すると同時に、
上記気液分離部の上記間隙を通過上昇し、さらに上記除霧層内を上昇する煤煙中の煤塵（飛灰）と接触し、
該煤塵は上記除霧層中の下降水分に捕捉されて下方の気液分離部の逆Ｖ形案内杆の頂部から両面に案内されて、Ｖ形受水杆内に捕集される。
【００１０】
捕集された煤塵捕捉水はＶ形受水杆の両端開口部から上記環状廃水溝内に流入し、廃棄又は上記順環水タンクに一部流入させる。
【発明の効果】
【００１１】
本発明では廃ガス・水接触塔本体内で一旦スプレー水に捕捉されてスプレー水と共に下降し、該本体下端の排水口から排出される。下降せずに上昇する微細煤塵は拡径筒内の気液分離部の間隙を通過して除霧層内に入り、そこで浄水スプレー下降水に捕捉されて上記分離部内に下降して塔外に排水されるため微細煤塵（飛灰）は除霧層内で浄水に捕捉され微細煤塵に付随するダイオキシンを伴って環状廃水溝から塔外に排出される。
【００１２】
除霧層を通過した気体分はさらに上昇し、煙突から大気に放出される。
【発明を実施するための最良の形態】
【００１３】
化学工場の上記産業廃棄物や生活廃棄物（金属分は除かれる）は、廃棄物焼却工場に設けられたロータリーキルンＲ内に投入され、約１３００℃に加熱焼却される。
【００１４】
この被焼却物はさらに２次燃焼炉５’において約１０００℃に再燃され、さらに３００℃吸収冷却塔５”を通過して約７００℃に冷却され、さらにロータリーミルｍで粉砕されて廃ガス・水接触塔１の下部に導入される。
【００１５】
廃ガス・水接触塔１内では上記粉砕煤塵は廃ガスと共に上昇し、上部に設けた散水管８からの下降水と接触し、上記煤塵に付随しているダイオキシンと共に下降して下端排出口９から塔外に設けた５０Ｔ順環水タンク１０に導入され、タンク内に添加した凝集剤によってタンク１０の下部に沈澱し、沈澱物はフィルタープレス１１によって脱水ケーキを形成して除去され、分析試験の上埋立てられる（図５）。
【００１６】
上記廃ガス・水接触塔１の上端部外周には拡径段１’を円環状板１ｂによって形成し、
該拡径段１’の外周に拡径筒１”の下端を一体に接続し、上記接触塔１の上端縁１ａと拡径筒１”の内周壁及び拡径段１’の上記円環状板１ｂによって円環状廃水溝２を形成し、廃水口２ａを形成する（図２、図３（イ）（ロ）図）。
【００１７】
上記接触塔１の上端縁１ａには図３（ロ）図に示すように複数（７個）のＶ形受水杆３を平行に架設し、該受水杆３の両端をそれぞれ上記廃水溝２上に開口３’する。
【００１８】
又図３（イ）図に示すように上記拡径筒１”の内周壁に複数（８個）の逆Ｖ形案内杆４を上記受水杆３と平行に架設し、
上記案内杆４の下向両下縁４’，４’がそれぞれ上記受水杆３の上向両上縁３”，３”の上方に間隙ｔを介して重ね合わされ、これによって気液分離部５が形成される。
【００１９】
上記気液分離部５の上方には不銹（ステンレス）金属繊維面による除霧層６を配設する。
【００２０】
この除霧層６の上方にスプレー給水管７，７を配設し、該給水管７，７を浄水槽１２に揚水ポンプｐ’を介して接続し、該給水管７，７から霧状水を除霧層６に向ってスプレーする。
【００２１】
従って廃ガス・水接触塔１から上昇する廃ガスは気液分離部５内の上記間隙ｔを通過する際、除霧層６から滴下する煤塵（飛灰）含有水が逆Ｖ形案内杆４の両下縁４’，４’からＶ形受水杆３の両上縁３”，３”に流下する煤塵（飛灰）含有水と接触し、上昇廃ガス中の煤塵及びこれに付随するダイオキシンを上記煤塵（飛灰）含有水中に捕捉してＶ形受水杆３内に流入し、該受水杆３の両端開口３’，３’から上記円環状廃水溝２に流入し、廃水口２ａから塔外に排出される。
【００２２】
除霧層６を通過上昇した廃ガスは屈曲排気ダクト１３の下向下端部に設けたスクラバ送風機によって吸引され大気に排出される。
【００２３】
上記廃ガス・水接触塔１の内径は上記拡径筒１”において拡大するため、上昇廃ガスの流速が拡径筒１”内に入って減速されるから、廃ガス中の煤塵（飛灰）の自重下降が促進され、除霧層６内及び上記間隙ｔにおいて流下水滴による煤塵（飛灰）の捕捉は促進される。
【実施例】
【００２４】
上記接触塔１の上端部に上記拡径筒１”を設け、上記Ｖ形受水杆３及び逆Ｖ形案内杆４による気液分離部５を通過し、かつ上記除霧層６を通過上昇した廃ガス中の煤塵除去率が、上記接触塔１（従来の煤塵除去装置）のみの煤塵除去率の１／５〜１／６となり、
そのためダイオキシンの国家基準が１０ナノｇ／ｍ３であり、上記接触塔１のみの場合で約３ナノｇ／ｍ３であるところ、上記拡径筒１”の付設によって約０．６ナノｇ／ｍ３に減少した。
【００２５】
【表１】
2005125201.tif 000003
【００２６】
【表２】
2005125201.tif 000004
【００２７】
勿論ダイオキシンは廃ガス中の上記煤塵にくっついて排出されていたことを確認することができた。
【産業上の利用可能性】
【００２８】
本発明では既設の廃棄物焼却工場に設けた上記廃ガス・水接触塔の上端部に上記拡径筒を設けることによって廃ガスの上昇流速が緩和し煤塵の捕捉が容易となり、その状態でスプレー水によって如何に煤塵との接触を拡大し、水によって煤塵を捕集し、それに付随するダイオキシンを煤塵と共に捕集することが可能であって上記廃棄物焼却工場から排出するダイオキシンを上述のように抑制することができた。
【図面の簡単な説明】
【００２９】
【図１】本発明のダイオキシン・煤塵除去装置である。
【図２】図１の縦断正面図である。
【図３】（イ）図は図２Ａ−Ａ線による平面図、（ロ）図は図２Ｂ−Ｂ線による平面図である。
【図４】廃ガス・水接触塔の全体正面図である。
【図５】ロータリーキルン、再燃炉、冷却塔、ロータリーミル及び上記接触塔の全体正面図である。
【符号の説明】
【００３０】
１      廃ガス・水接触塔
１’    拡径段
１”    拡径筒
１ａ    上端縁
２      環状廃水溝
３      Ｖ形受水杆
３’    開口
４      逆Ｖ形案内杆
５      気液分離部
【図１】
2005125201.tif 000005
【図２】
2005125201.tif 000006
【図３】
2005125201.tif 000007
【図４】
2005125201.tif 000008
【図５】
2005125201.tif 000009